(57)【要約】【課題】着脱がスピーディで操作構造が簡便なディスプレイ拡張構造を提供する。【解決手段】ディスプレイ背面にスライドスロットを設け、スライドスロットの一端をディスプレイ側端まで延長して開口部を形成し、別の一端をディスプレイ内に延長してスロットを形成し、スロット内にソケットを設け、スライドスロットの両側のスロット壁には間隔を開けて位置決めリブを突出して数個も設け、拡張パックは一側にコネクタを設けてソケットに装着できるようにし、両側には弾力変形力のあるバネ嵌合部を数個設けてリブが引っかかって位置決めでき、バネ嵌合部は拡張パックのパッケージを彎曲して形成し、スライドスロットによって拡張パックの挿入位置を軽易にスピーディに探し当てることができ、バネ嵌合部と位置決めリブとの組み合わせによって、拡張パックを固定位置に制限することができ、スピーディな着脱と簡便な使用操作が可能となる。【選択図】　図１
0003098215.tif 000002
【実用新案登録請求の範囲】
【請求項１】
ハウジングをディスプレイパネル背面に設け、
該ハウジング内にスロットを設けて、該スロット底端にソケットを設け、別の一端に開口部を形成し、拡張パックを導入するようにし、
該スロットには峰部と谷部を具える位置決め構造を設け、
前記スロットに挿入する拡張パックは、拡張パックの一端にコネクタを設け、拡張パックを位置決め構造を通してスロット底端のソケットに接続し、拡張パックの別の一端に外部信号の入力端子を設けて成ることを特徴とするディスプレイ拡張構造。
【請求項２】
前記ハウジングは、スライドスロットを具え、スライドスロットの一端に開口部を形成し、両側のスロット壁に間隔をあけて突出して位置決めリブを数個設けて成ることを特徴とする請求項１記載のディスプレイ拡張構造。
【請求項３】
前記スロット位置決め構造は峰部と谷部を設け、拡張パックの通行を暫時圧迫して二段階で挿入するようにして成ることを特徴とする請求項１記載のディスプレイ拡張構造。
【請求項４】
前記拡張パックは２ｍｍ厚で構成する電磁波防止金属パックであり、体積はスロット内の位置決め構造よりやや大きいことにより、位置決め構造を通過時に圧迫及び回復することができるようにして成ることを特徴とする請求項１記載のディスプレイ拡張構造。
【請求項５】
前記拡張パックのパッケージは上ケースと下ケースを向かい合わせに組み合わせて成り、バネ嵌合部はバネダボとバネ鈎とから成り、バネダボは上ケースの側端を外向きにプレスして外向きに盛り上がった部位で、バネ鈎は下ケースの側端を外向きにＬ形に折り曲げた部位であり、このバネダボとバネ鈎は交差積層状態を呈しており、底面に突出して滑り止めラインを若干設け、拡張パックのスライドスロットにおける摩擦力を増加するようにして成ることを特徴とする請求項１及び請求項４記載のディスプレイ拡張構造。
【請求項６】
前記ハウジングにスライドスロットを設け、カバーをスライドスロット上方に設け、カバーの一側に若干の突起を設けて嵌合孔に掛けてとめられるようにし、カバーの別の一側にＵ字形のスプリングフックを設け、スプリングフックの上端はくぼみの中に突出して露出し、スプリングフックの一側にフックを設けてフック受け部内に嵌合させられるようにして成ることを特徴とする請求項１及び請求項２記載のディスプレイ拡張構造。
【考案の詳細な説明】
【０００１】
【考案の属する技術分野】
本考案は、テレビやコンピュータなどのディスプレイの拡張機能のための構造の技術分野に属する。
【０００２】
【従来の技術】
ディスプレイの最多用途はテレビとコンピュータであるが、テレビ番組観賞とコンピュータマルチメディアデータの再生に分けて使用するのは経済効果も悪く場所ふさぎでもある。近年コンピュータと組み合わせてテレビ番組を放映できるＴＶチューナボックス或いはＴＶチューナカードが開発されているが、これらのＴＶチューナは前提条件としてコンピュータマザーボードに装着しなければならず、マザーボードを通じてＡＶ信号を映像に転換してコンピュータディスプレイで放映する。そのためマザーボードの負担となり、コンピュータの寿命を縮め、その上受信した信号がマザーボードを通るとマイクロプロセッサ等や他の周辺装置の影響を受け、静止、モザイクその他ノイズの受信などを招いてしまう。
このような問題を解決するため、テレビ或いはコンピュータディスプレイの中に拡張パックを設ける構造が考案された。公知の拡張パックの構造は、主にディスプレイ内部にＴＶチューナカードを挿入できる拡張パックを増設することによってディスプレイのテレビ放映機能を提供し、拡張パックの開口部はディスプレイの後方に向いている。
【０００３】
【考案が解決しようとする課題】
しかし、ディスプレイに拡張パックを内設する公知の構造は、実際の使用に際して以下に挙げるような欠点がある。
１．ＴＶチューナカードの着脱が不便：公知の拡張パック開口部はディスプレイ後方を向いており、ＴＶチューナカードの着脱の際にはディスプレイの向きを変えなければ拡張パックに挿入或いは拡張パックから取り出しにくく、着脱が非常に不便である。
２．操作が面倒：公知の拡張パックを設けてあるディスプレイは、コンピュータモニタとして使用するときにはＴＶチューナカードを拡張パックから完全に分離し取り出して、ＴＶチューナカードと拡張パック内のスロットとの不適切な接触によるディスプレイの損傷を避けなければならない。ＴＶチューナカードをディスプレイから取り外して保管する際に遺失したり保管場所を忘れたりし易く、使用したい時に探したりするなど、操作上不便且つ面倒である。
３．ディスプレイの体積を増大させる：拡張パックの開口部が後ろ向きで、ＴＶチューナカードが後方から垂直に拡張スロットに挿入されるため、ＴＶチューナカード着脱に際して、ディスプレイ後方に適当な空間を残しておかなければならない。更に、ディスプレイは拡張パックの設置方向のために厚さが大幅に増加し、ディスプレイの体積が増大し、使用スペースを取り重量も増加する。
本考案は、上述した欠点に鑑みなてされたもので、その課題は、着脱がスピーディで操作構造が簡便、使用スペースも少ないディスプレイ拡張構造を提供するものである。
【０００４】
【課題を解決するための手段】
上記課題を解決するため、請求項１の考案は、ハウジングをディスプレイパネル背面に設け、該ハウジング内にスロットを設けて、該スロット底端にソケットを設け、別の一端に開口部を形成し、拡張パックを導入するようにし、該スロットには峰部と谷部を具える位置決め構造を設け、前記スロットに挿入する拡張パックは、拡張パックの一端にコネクタを設け、拡張パックを位置決め構造を通してスロット底端のソケットに接続し、拡張パックの別の一端に外部信号の入力端子を設けて成ることを特徴とするディスプレイ拡張構造である。
請求項２の考案は、前記ハウジングは、スライドスロットを具え、スライドスロットの一端に開口部を形成し、両側のスロット壁に間隔をあけて突出して位置決めリブを数個設けて成ることを特徴とする請求項１記載のディスプレイ拡張構造である。
請求項３の考案は、前記スロット位置決め構造は峰部と谷部を設け、拡張パックの通行を暫時圧迫して二段階で挿入するようにして成ることを特徴とする請求項１記載のディスプレイ拡張構造である。
請求項４の考案は、前記拡張パックは２ｍｍ厚で構成する電磁波防止金属パックであり、体積はスロット内の位置決め構造よりやや大きいことにより、位置決め構造を通過時に圧迫及び回復することができるようにして成ることを特徴とする請求項１記載のディスプレイ拡張構造である。
請求項５の考案は、前記拡張パックのパッケージは上ケースと下ケースを向かい合わせに組み合わせて成り、バネ嵌合部はバネダボとバネ鈎とから成り、バネダボは上ケースの側端を外向きにプレスして外向きに盛り上がった部位で、バネ鈎は下ケースの側端を外向きにＬ形に折り曲げた部位であり、このバネダボとバネ鈎は交差積層状態を呈しており、底面に突出して滑り止めラインを若干設け、拡張パックのスライドスロットにおける摩擦力を増加するようにして成ることを特徴とする請求項１及び請求項４記載のディスプレイ拡張構造である。
請求項６の考案は、前記ハウジングにスライドスロットを設け、カバーをスライドスロット上方に設け、カバーの一側に若干の突起を設けて嵌合孔に掛けてとめられるようにし、カバーの別の一側にＵ字形のスプリングフックを設け、スプリングフックの上端はくぼみの中に突出して露出し、スプリングフックの一側にフックを設けてフック受け部内に嵌合させられるようにして成ることを特徴とする請求項１及び請求項２記載のディスプレイ拡張構造である。
すなわち、上記各考案は、ディスプレイ背面にスライドスロットを設け、スライドスロットの一端をディスプレイの側端まで延長して開口部を形成し、別の一端をディスプレイ内に延長してスロットを形成し、スロット内にソケットを設ける。スロットの一側に峰部と谷部を設けて、ディスプレイ拡張パックを二段階に分けて導入する方法でハウジング内のスロットへ接続できるようにする。また、スライドスロットの両側のスロット壁に間隔をあけて突出して位置決めリブを数個設ける。拡張パックは、コネクタを設けてソケットに装着できるようにし、両側に弾性変形力を具えるバネ嵌合部を数個設けてリブに引っかかり位置決めできるようにし、このバネ嵌合部は拡張パックのパッケージを彎曲して形成する。以上の構成からその作用は、スライドスロットによって、軽易にスピーディに拡張パックを挿入固定する位置を探し当てることができ、バネ嵌合部と位置決めリブとの組み合わせによって拡張パックを固定位置に制限でき、着脱がスピーディで使用操作が簡便になる。
【０００５】
【考案の実施の形態】
本考案の好適な実施例を図に沿って説明する。
図１〜５及び８に示すように、テレビやコンピュータなどのディスプレイの拡張機能のための構造は、以下を含む。
ディスプレイ１の背面にスライドスロット１０を設け、スライドスロット１０の一端をディスプレイ１の側端まで延長して開口部１１を形成し、別の一端をディスプレイ１内部に延長してスロット１２を形成する。スライドスロット１０の一側に峰部１２１ａと谷部１２１ｂの位置決め構造１２１を設け、ディスプレイ拡張パックを二段階に分けて導入する方法でハウジング内のスロットに接続する。スロット１２の底部にソケット１３を設け、スロット１２の開口部上方に開口面１４を設け、開口面１４の上下端にそれぞれくぼみ１５とフック受け部１６を設ける。また、スライドスロット１０の両側のスロット壁１７に間隔をあけて突出して位置決めリブ１８を数個設け、スライドスロット１０上に嵌合孔１９を設ける。
【０００６】
拡張パック２の一側にコネクタ２０を設けてソケット１３に装着できるようにし、反対側にアンテナコネクタ２１、Ｓ端子などを設けて、アンテナ、ケーブルテレビのケーブル或いはその他ライン接続に供す。また、拡張パック２のパッケージは上ケース２２と下ケース２３を向かい合わせに組み合わせて成り、パッケージの両側端に間隔をあけて弾力のあるバネ嵌合部２４を設ける。バネ嵌合部２４は、バネダボ２５とバネ鈎２６を組み合わせて成り、バネダボ２５は上ケース２２の側端を外向きにプレスして外向きに盛り上がった部位で、バネ鈎２６は下ケース２３の側端を外向きにＬ形に彎曲した部位であり、バネダボ２５とバネ鈎２６は交差積層状を呈す。また、下ケース２３の底面には突出して滑り止めライン２７を若干設け、拡張パック２のスライドスロット１０中における滑走摩擦力を増加する。
【０００７】
カバー３をスライドスロット１０の上方に設け、カバー３の一側に若干の突起３０を設けて嵌合孔１９中に掛けてとめられるようにし、カバー３の別の一側にＵ字形のスプリングフック３１を設け、スプリングフック３１上端はくぼみ１５の中に突出して露出し、スプリングフック３１の一側にフック３２を設けてフック受け部１６内に嵌合するようにする。カバー３を開ける時には、スプリングフック３１を押さえてスプリングフック３１のフック３２をフック受け部１６から離脱させれば開けることができる。
【０００８】
図４、６に示すように、本考案のディスプレイをテレビとして使用する場合、拡張パック２をスライドスロット１０からスロット１２へ挿入して、拡張パック２のコネクタ２０をソケット１３に装着し、アンテナ或いはケーブルテレビのケーブルをアンテナコネクタ２１に接続すればよい。
図７に示すように、本考案のディスプレイをコンピュータのモニタとして使用する場合、拡張パック２をスロット１２から抜いて、拡張パック２のコネクタ２０をソケット１３から離脱させ、拡張パック２をスライドスロット１０内で移動し、スロット壁１７の位置決めリブ１８が二つのバネ嵌合部２４の間に来たら止めればよく、バネ嵌合部２４と位置決めリブ１８の制限により、拡張パック２のコネクタ２０とソケット１３との不適切な接触を避けられる。
【０００９】
【考案の効果】
本考案の上述した構造により、実際の使用実施上において以下の効果が得られる。
１．拡張パックの着脱が容易：本考案のディスプレイ１背面にスライドスロット１０を設けて拡張パック２をスロット１２内に導入するため、ディスプレイ１を裏返さずに軽易に触覚に頼って拡張パック２をスライドスロット１０内に装着できるため、着脱使用上非常に容易である。
２．操作が簡便：本考案の拡張パック２は不使用時にはスライドスロット１０内をスロット壁１７上の位置決めリブ１８が二つのバネ嵌合部２４の間に来るまで移動することにより、バネ嵌合部２４と位置決めリブ１８とが相対的な位置制限効果を生み、拡張パック２のコネクタ２０とソケット１３との不適切な接触をさけられるため、操作使用上非常に簡便で、拡張パック２の遺失や探すための時間浪費といった状況は発生しない。
３．ディスプレイの体積減少：本考案のスロット１２の開口部は側面に向いており、拡張パック２はディスプレイ１と水平方向に挿入されるため、ディスプレイ１の厚さを大幅に縮減でき、ディスプレイ１の体積が減少して使用空間が減少するとともに、全体の重量が軽減する。
【図面の簡単な説明】
【図１】本考案の立体分解図である。
【図２】本考案の拡張パックの別の一側の立体外観図である。
【図３】本考案の立体外観図である。
【図４】本考案の実施略図である。
【図５】本考案の局部断面図である。
【図６】本考案の拡張パックの動作略図である。
【図７】本考案の拡張パックの動作略図である。
【図８】本考案の局部断面拡大図である。
【符号の説明】
１　　ディスプレイ
１０　　　スライドスロット
１１　　　開口部
１２　　　スロット
１２１　　　位置決め構造
１２１ａ　峰部
１２１ｂ　谷部
１３　　　ソケット
１４　　　開口面
１５　　　くぼみ
１６　　　フック受け部
１７　　　スロット壁
１８　　　位置決めリブ
１９　　　嵌合孔
２　　拡張パック
２０　　　コネクタ
２１　　　アンテナコネクタ
２２　　　上ケース
２３　　　下ケース
２４　　　バネ嵌合部
２５　　　バネダボ
２６　　　バネ鈎
２７　　　滑り止めライン
３　　カバー
３０　　　突起
３１　　　スプリングフック
３２　　　フック
【図１】
0003098215.tif 000003
【図２】
0003098215.tif 000004
【図３】
0003098215.tif 000005
【図４】
0003098215.tif 000006
【図５】
0003098215.tif 000007
【図６】
0003098215.tif 000008
【図７】
0003098215.tif 000009
【図８】
0003098215.tif 000010